(57)【要約】  【課題】本発明は、個人の好みや目的に応じた多様な着用形態を簡単に実現できる実用性とファッション性に優れた肩掛けを提供することにある。  【解決手段】編地で略長方形状に形成された肩掛け本体と、この肩掛け本体の四隅周縁部に設けられる係止具とを備え、係止具が、一対の雄型と雌型とで構成されており、肩掛け本体の長さ方向一端部分における幅方向一端部に雄型が配置されているとともに、同じく長さ方向一端部分における幅方向他端部に雌型が配置され、肩掛け本体の長さ方向他端部分においては、雄型と雌型とが前記長さ方向一端部分に設けられた配置とは逆に配置されている。【選択図】図１
2006299437.tif 000002
【特許請求の範囲】
【請求項１】
編地で略長方形状に形成された肩掛け本体と、この肩掛け本体の四隅周縁部に設けられる係止具とを備え、
係止具が、一対の雄型と雌型とで構成されており、肩掛け本体の長さ方向一端部分における幅方向一端部に雄型が配置されているとともに、同じく長さ方向一端部分における幅方向他端部に雌型が配置され、肩掛け本体の長さ方向他端部分においては、雄型と雌型とが前記長さ方向一端部分に設けられた配置とは逆に配置されていることを特徴とする肩掛け。
【請求項２】
係止具が、肩掛け本体の長さ方向両端部分に、幅方向端部に沿って所定間隔ごとに複数配置されていることを特徴とする請求項１記載の肩掛け。
【請求項３】
肩掛け本体の長さ方向両端部分が、編地幅が収縮する編組織で構成されていることを特徴とする請求項１または２記載の肩掛け。
【発明の詳細な説明】
【技術分野】
【０００１】
本発明は、衣服の上から羽織る肩掛けに関するもので、特に、簡単に羽織れて着崩れにくく、ファッション性に優れた肩掛けに関するものである。
【背景技術】
【０００２】
従来、この種の肩掛けとしては、平面状の布帛の略中央部分に肩幅程度の長さの切れ目を設けて、この切れ目に背中から両腕を通して羽織るケープ状の肩掛けが開示されている (例えば、特許文献１参照)。
【特許文献１】特開２００４−１８３１４７号公報
【発明の開示】
【発明が解決しようとする課題】
【０００３】
しかしながら、上記公報の肩掛けは、切れ目に背中から両腕を通すという不自然な着用方法をとらなければならず、着用が困難である上、着用形態がワンパターンであるのでファッション性に乏しいという不具合がある。また、袖部が大ぶりなので、手作業がしにくいという不具合もある。
本発明は、上記問題点に鑑みてなされたものであって、個人の好みや目的に応じた多様な着用形態を簡単に実現できる実用性とファッション性に優れた肩掛けを提供することにある。
【課題を解決するための手段】
【０００４】
本発明の肩掛けは、編地で略長方形状に形成された肩掛け本体と、この肩掛け本体の四隅周縁部に設けられる係止具とを備え、係止具が、一対の雄型と雌型とで構成されており、肩掛け本体の長さ方向一端部分における幅方向一端部に雄型が配置されているとともに、同じく長さ方向一端部分における幅方向他端部に雌型が配置され、肩掛け本体の長さ方向他端部分においては、雄型と雌型とが前記長さ方向一端部分に設けられた配置とは逆に配置されていることを特徴とするものである。
【０００５】
また、係止具が、肩掛け本体の長さ方向両端部分に、幅方向端部に沿って所定間隔ごとに複数配置されているものでもよい。
【０００６】
さらに、肩掛け本体の長さ方向両端部分が、編地幅が収縮する編組織で構成されていてもよい。
【発明の効果】
【０００７】
本発明にかかる肩掛けによれば、編地で略長方形状に形成された肩掛け本体と、この肩掛け本体の四隅周縁部に設けられる係止具とを備え、係止具が、一対の雄型と雌型とで構成されており、肩掛け本体の長さ方向一端部分における幅方向一端部に雄型が配置されているとともに、同じく長さ方向一端部分における幅方向他端部に雌型が配置され、肩掛け本体の長さ方向他端部分においては、雄型と雌型とが前記長さ方向一端部分に設けられた配置とは逆に配置されているので、長辺同士を重ね合わせるように折り畳んだ場合でも、肩掛け本体の短辺同士を重ね合わせるように折り畳んだ場合でも、雄型と雌型とを係止することができる。
【０００８】
したがって、係止具を係止せずに、肩掛け本体を広げたり折り畳んだりして使用できることはもちろんのこと、肩掛け本体の長辺同士を重ね合わせるように折り畳んで、対向する雄型と雌型とを係止して、ボレロ風にも着用できるし、肩掛け本体の短辺同士を重ね合わせるように折り畳んで、対向する雄型と雌型とを係止して、ショール風にも着用することができるので、個人の好みや目的に応じた多様な着用形態をとることができる。また、係止具が、雄型と雌型とで構成されているので、容易に着脱することができる。さらに、肩掛け本体が編地で形成されているので、伸縮性がよい上、模様編みや糸の色を変えることで、多様なデザインを施すこともできる。
【０００９】
また、係止具が、肩掛け本体の長さ方向両端部分に、幅方向端部に沿って所定間隔ごとに複数配置されているものでは、肩掛け本体の長辺同士を重ね合わせるように折り畳んで、対向する係止具を係止させたときに、肩掛け本体の長さ方向両端部分に筒状の袖部が形成されるので、この袖部に両腕を通すだけで簡単に着用することができる上、着崩れしにくい。さらに、袖部が両腕を覆うので、冬は防寒用、夏は冷房よけや日除け用とするなど、年間を通じて使用できる。
【００１０】
また、肩掛け本体の長さ方向中央部が背中の中心に位置するように肩掛けを羽織って、肩掛け本体の短辺同士を着用者の胸元で重ね合わせるようにして、対向する雄型と雌型とを係止すれば、肩掛け本体の長さ方向両端部が連結されるので、着崩れしにくい。
【００１１】
また、肩掛け本体の長さ方向両端部分が、編地幅が収縮する編組織で構成されているものでは、肩掛け本体の長さ方向中央部分の編地幅に比べて長さ方向両端部分の編地幅が狭くなるので、袖部が小ぶりで手作業がしやすい。
【発明を実施するための最良の形態】
【００１２】
以下、本発明にかかる肩掛けの一実施形態について詳細に説明する。
【００１３】
本実施形態の肩掛け１は、図１に示すように、編地で略長方形状に形成された肩掛け本体２と、この肩掛け本体２の四隅の周縁部分に設けられる係止具３とで構成されている。肩掛け本体２は、全長約１５０ｃｍ、長さ方向中央部２１の幅が約５７ｃｍで、長さ方向中央部２１側から長さ方向両端部２２，２３にむかって編地幅が狭くなり、長さ方向両端部２２，２３の幅が約４０ｃｍに形成されている。また、肩掛け本体２は、綿繊維の細糸を用いてプレーン編で編成されており、長さ方向両端部２２，２３に、長さが約５ｃｍのリブ編部２４が形成され、幅方向両端部２５，２６には、幅約２ｃｍの柄編部２７が長さ方向全体にわたって縁取り状に一体に形成されている。
【００１４】
係止具３は、雄型としてのボタン３１，３２と雌型としてのボタン穴３３，３４とで構成されている。そして、肩掛け本体２における長さ方向一端部分２８の柄編部２７には、幅方向一端部２５側に、長さ方向一端部２２側から長さ方向中央部２１側に向かって５つのボタン３１（３１１〜３１５）が所定間隔おきに取り付けられ、幅方向他端部２６側に、前記ボタン３１（３１１〜３１５）に対応する５つのボタン穴３３（３３１〜３３５）が形成されている。なお、長さ方向一端部２２側のボタン３１１から長さ方向中央部２１側のボタン３１５までの間の長さは、約２２ｃｍとなっている。
また、肩掛け本体２における長さ方向他端部分２９の柄編部２７には、ボタン３２（３２１〜３２５）とボタン穴３４（３４１〜３４５）とが、前記長さ方向一端部２２側に設けられた配置とは逆に配置されている。
【００１５】
ここで、本実施形態の肩掛け１の使用例を説明する。まず、第１の使用例としては、肩掛け１を幅方向に半分に折り畳み、長さ方向一端部分２８のボタン３１（３１１〜３１５）をボタン穴３３（３３１〜３３５）に係止するとともに、長さ方向他端部分２９のボタン３２（３２１〜３２５）をボタン穴３４（３４１〜３４５）に通して係止して、図２に示すように、肩掛け１の長さ方向両端部分に筒状の袖部４，４を形成する。すると、袖部４，４の間に、袖部４，４の内部に連通する連通部５が形成されるので、着用者は、連通部５から両袖部４，４に両腕を通して、肩掛け１の長さ方向中央部２１が背中に配置されるように肩掛け１を羽織る。すると、図３に示すように、肩掛け１が、着用者の首の後ろから背中全体を覆うとともに、肩から両手首までを覆い、さらに、筒状に形成された両袖部４，４が、両肘から手首までの部位をすっぽりと覆うので、ボレロ風に着用できる。
【００１６】
次に、第２の使用例を説明する。まず、着用者は、肩掛け１を広げて、肩掛け１の長さ方向中央部２１が背中に配置されるとともに、幅方向一端部２５が首の後ろに配置されるように肩掛け１を羽織る。次に、肩掛け１の長さ方向両端部２２，２３を肩から上腕部に回しかけて胸元に配置し、長さ方向両端部２２，２３の幅方向一端部２５に設けられているボタン３１（３１１〜３１５）をボタン穴３４（３４１〜３４５）に通して係止させる。すると、図４に示すように、肩掛け１が、着用者の首の後ろから背中全体を覆うとともに、肩から上腕部までを覆い、さらに、首の回りから胸元全体を覆うので、ショール風に着用できる。
【００１７】
以上詳述したように、本実施形態の肩掛け１は、編地で略長方形状に形成された肩掛け本体２と、肩掛け本体２の四隅の周縁部分に設けられる係止具３とで構成されており、係止具３が、肩掛け本体２の長さ方向一端部分２８における幅方向一端部２５に設けられるボタン３１（３１１〜３１５）と、幅方向他端部２６に設けられるボタン穴３３（３３１〜３３５）と、肩掛け本体２の長さ方向他端部分２９において、前記長さ方向一端部分２８側の配置とは逆に配置されているボタン３２（３２１〜３２５）とボタン穴３４（３４１〜３４５）とからなるので、肩掛け本体２の幅方向両端部２５，２６を重ね合わせて係止具３を係止してボレロ風に羽織る形態や、肩掛け本体２の長さ方向両端部２２，２３を重ね合わせて係止具３を係止してショール風に羽織る形態で使用することができる。また、係止具３を係止することなく肩掛け本体２をストール風またはマフラー風に着用する形態でも使用することができる。したがって、個人の好みや目的に応じた多様な着用形態をとることができる。
【００１８】
また、首の後ろから肩、背中、腕など冷えやすい部位や、日焼けしやすい部位を覆うことができるので、冬は防寒用、夏は冷房よけや日除け用とするなど、年間を通じて使用できる。また、編地で形成されているので、伸縮性がよく動作を妨げない上、適度な通気性がありムレにくく、さらっとした快適な使用感が得られる。さらに、綿繊維で編成されているので、軽い着用感で着心地がいい上、しなやかで美しいドレープが得られる。また、適度な保温性、吸湿性も有しており、季節を問わず着用しやすい。
【００１９】
また、係止具３が、ボタン３１，３２とボタン穴３３，３４とで構成されているので、容易に着脱することができる。また、肩掛け本体２の長さ方向両端部２２，２３をリブ編部２４にしたので、デザイン性に優れる上、長さ方向両端部２２，２３の編地幅を狭くすることができる。したがって、袖部４，４を小ぶりに形成でき、手作業がしやすい。さらに、ボタン３１，３２とボタン穴３３，３４とが、長さ方向両端部２２，２３から約２２ｃｍの部分までの間にそれぞれ５つずつ配置されているので、図３に示すボレロ風に羽織ったときには、両肘から手首までの部位を袖部４，４ですっぽりと覆うことができ、洋服に近い感覚ですばやく着用できる上、着崩れしにくく、さらに、両肘から手首までの保温性や日除け効果にも優れる。また、図４に示すショール風に羽織った時には、幅方向一端部２５側の柄編部２７が胸元に表われ、デザイン性に優れる上、長さ方向両端部２２，２３を胸元で確実に止着でき、着崩れしにくい。また、肩掛け１によって上半身全体を覆うことができ、保温性にも優れる。
【００２０】
なお、着用方法は上記形態に限られず、着用者の創意工夫で多様な着用形態をとることができる。また、肩掛け本体２の編地は、プレーン編に限られず、一部や全体を模様編みにしてもよい。また、多数の色糸を使用して色合いを異ならせてもよい。また、綿繊維でなくてもよく、毛繊維、絹繊維、合成繊維、それらの混紡繊維であってもよい。また、繊維に紫外線吸収加工や、抗菌加工、防臭加工、撥水加工などを施してもよい。
【００２１】
また、係止具３は、ボタン３１，３２とボタン穴３３，３４とに限られず、面ファスナーやかぎホック、スナップなどでもよい。また、ボタン３１，３２とボタン穴３３，３４の数や配置箇所は、本実施形態に限られないが、形成した袖部４，４が肘から手首までの部位を覆う程度の長さがあることが好ましい。
【００２２】
また、本実施形態では、編地幅が収縮する編組織としてリブ編部２４を設けたが、これに限られず、例えば、ポリウレタン繊維などの弾性を有する繊維とともに編成した編組織を設けてもよい。
【図面の簡単な説明】
【００２３】
【図１】本発明にかかる一実施形態の肩掛け１の平面図である。
【図２】図１に示す肩掛け１の係止具３を係止した状態での平面図である。
【図３】図１に示す肩掛け１の一使用例を示す説明図である。
【図４】図１に示す肩掛け１の他の使用例を示す説明図である。
【符号の説明】
【００２４】
１    肩掛け
２    肩掛け本体
２１  長さ方向中央部
２２  長さ方向一端部
２３  長さ方向他端部
２４  リブ編部（編地幅が収縮する編組織）
２５  幅方向一端部
２６  幅方向他端部
２８  長さ方向一端部分
２９  長さ方向他端部分
３    係止具
３１  ボタン（雄型）
３２  ボタン（雄型）
３３  ボタン穴（雌型）
３４  ボタン穴（雌型）
【図１】
2006299437.tif 000003
【図２】
2006299437.tif 000004
【図３】
2006299437.tif 000005
【図４】
2006299437.tif 000006